(57)【要約】【課題】簡単な構成であって、手摺部材を連結でき、かつ、手摺部材との固着強度が高い手摺部材用連結固定具を提供する。【解決手段】複数の手摺棒３０を連結するための手摺部材連結固定具１００であって、手摺棒３０を下側から覆うように支える固定具本体１０と、手摺棒３０を上側から覆い、固定具本体１０と固着される上部カバー部２０と、を備え、固定具本体１０は上方に突出する下部仕切部１２を有し、上部カバー部２０は下方に突出する上部仕切部２２を有し、固定具本体１０および上部カバー部２０により覆われて手摺棒３０が連結された際に、手摺棒３０間には下部仕切部１２および上部仕切部２２が介在している。【選択図】図５
2018199911.tif 000002
【特許請求の範囲】
【請求項１】
複数の手摺部材を連結するための手摺部材連結固定具であって、
前記手摺部材を下側から覆うように支える固定具本体と、
前記手摺部材を上側から覆い、前記固定具本体と固着される上部カバー部と、を備え、
前記固定具本体は上方に突出する下部仕切部を有し、
前記上部カバー部は下方に突出する上部仕切部を有し、
前記固定具本体および前記上部カバー部により覆われて前記手摺部材が連結された際に、前記手摺部材間には前記下部仕切部および前記上部仕切部が介在している、手摺部材連結固定具。
【請求項２】
前記下部仕切部は、上向きに凹状のアーチ状であり、水平方向に略平行な平坦部を有し、
前記上部仕切部は、前記固定具本体および前記上部カバー部により覆われて前記手摺部材が連結された際に、前記下部仕切部に沿って嵌まり込み、前記手摺部材間を遮断する形状である、請求項１記載の手摺部材連結固定具。
【請求項３】
前記下部仕切部は、３箇所の前記平坦部を有している、請求項２記載の手摺部材連結固定具。
【請求項４】
前記固定具本体における前記上部カバー側の端面および前記上部カバーにおける前記固定具本体側の端面には、嵌合部および被嵌合部のいずれかが形成されており、
前記固定具本体および前記上部カバー部に覆われて前記手摺部材が連結された際に、前記嵌合部が前記被嵌合部に嵌合される、請求項１〜３のいずれか記載の手摺部材連結固定具。
【請求項５】
前記固定具本体の下方から取付部材が前記固定具本体を貫通して前記上部カバー部に到達することにより、前記上部カバー部と前記固定具本体とが固着される、請求項１〜４のいずれか記載の手摺部材連結固定具。
【発明の詳細な説明】
【技術分野】
【０００１】
本発明は、廊下や階段の壁に設置される手摺部材を連結するために用いる手摺部材用連結固定具に関する。
【背景技術】
【０００２】
近年、足腰の弱い老人や身体障害者等が一人でも多く、安全に歩くことができるようにするために、室内における廊下や階段の壁面に、壁面に沿って伸びる手摺部材が取り付けられている。
【０００３】
老人や身体障害者は、歩行するにあたって自身を支える脚力が乏しいために、この手摺部材を手で持つことにより、腕の力によっても身体を支えることができ、安定した歩行を行うことができる。この手摺部材は、廊下や階段に沿って取り付けられるため、手摺部材は廊下や階段の長さに合わせた長さが必要になる。
【０００４】
しかし、手摺部材の長さを廊下や階段の長さと同じにしようとすると、廊下や階段の長さによっては、手摺部材をトラック等で運搬することが困難となったり、手摺部材の製造が困難となることから、コストが高くなるとの問題がある。特に、手摺部材の設置場所において実測することにより、最終的な手摺部材の長さを調整することから、運搬時は設置時よりもやや長めのサイズの手摺部材を運搬することとなる。
【０００５】
例えば、手摺部材の長さは２．５ｍ以下であることが好ましい。一般的には、手摺部材の長さが２．５ｍ以下であれば、手摺部材の運搬コストを比較的低く抑えることができる。また、手摺部材を設置する建物等まで手摺部材を運搬したとしても、室内に持ち込むにあたって部屋の構成によっては壁等と手摺部材とが干渉することとなり、設置する廊下等まで運搬することが困難であったり、場合によっては不可能であることもある。また、手摺部材の製造においても、手摺部材が長いほど、表面にキズ等が生じやすく、不良品となる可能性が高い。
【０００６】
なお、手摺部材を木製ではなくプラスティック等の樹脂により製造することとすれば、製造時の不良品の発生率は低下させることができる。さらに、木製に比べて手摺部材の重量を軽量化することもできることから、多少は運搬の不便が緩和されるといえる。しかし、木製とプラスティック製とでは手摺部材の美観が大きく異なり、プラスティック製に比べて木製の手摺部材の需要の方が大きい。
【０００７】
そこで、例えば２．５ｍ以下の比較的短い手摺部材を複数用いて、手摺部材用連結固定具によりこれらを連結することが従来よりなされている。そして、この手摺部材用連結固定具を壁面に取り付けることにより、手摺部材が壁面に設置されることとなる。
【０００８】
例えば、特許文献１には、２つの手摺棒の連結端部を載置可能であり、かつ固定可能な台座部と、その下端部に取付座を備えたブラケット部とが一体的に構成された手摺用取付金具が開示されている。
【０００９】
また、特許文献２には、連接する２つの手摺本体の端部を手摺本体受部に固定し、手摺本体の端部の上方よりカバーを嵌合させ、カバーを２つの手摺本体１の端部に固定する、手摺の連結構造が開示されている。なお、カバーには、カバーを補強すると共に、連結部を中央に配置するガイドとなる仕切壁が形成されている。
【００１０】
また、特許文献３には、２本の握り棒の端面間に挟まれる中挟板の周囲に、握り棒の外周に被さるフランジを設け、ブラケットの受皿部上で握り棒同士を接続する手摺用接続具であって、中挟板の下部周縁に、ブラケットの受皿部に当接して握り棒の軸方向に延びる脚部を設けたものが開示されている。
【先行技術文献】
【特許文献】
【００１１】
【特許文献１】特開平１１−１０７４８１号公報
【特許文献２】特開２００１−２１４５９１号公報
【特許文献３】特開２００５−１２０７３５号公報
【発明の概要】
【発明が解決しようとする課題】
【００１２】
特許文献１〜３に記載された発明では、手摺棒等の手摺部材と、手摺部材を連結して支えるブラケット等の手摺部材用連結固定具と、が固定され、これらが容易にはずれることがない構成といえる。
【００１３】
しかし、特に、老人や身体障害者は、歩行するにあたって自身を支える脚力が乏しいために、手摺部材に体重のほとんどをかけて歩行することから、手摺部材には大きな力がかかるため、手摺部材と手摺部材用連結固定具との固着構造はより強固なものが求められる。そのため、特許文献１〜３に記載された発明と比較して、手摺部材と手摺部材用連結固定具との固着構造はより強固なものが求められている。また、壁面等に手摺部材を設置する作業効率を考慮すると、手摺部材と手摺部材用連結固定具との固着構造は簡単な構成であることが好ましい。
【００１４】
本発明は、上述の問題点に鑑みなされたものであり、簡単な構成であって、手摺部材を連結でき、かつ、手摺部材との固着強度が高い手摺部材用連結固定具を提供することを目的とする。
【課題を解決するための手段】
【００１５】
本発明に係る手摺部材用連結固定具の一形態は、複数の手摺部材を連結するための手摺部材連結固定具であって、前記手摺部材を下側から覆うように支える固定具本体と、前記手摺部材を上側から覆い、前記固定具本体と固着される上部カバー部と、を備え、前記固定具本体は上方に突出する下部仕切部を有し、前記上部カバー部は下方に突出する上部仕切部を有し、前記固定具本体および前記上部カバー部により覆われて前記手摺部材が連結された際に、前記手摺部材間には前記下部仕切部および前記上部仕切部が介在していることを特徴とする。
【００１６】
この手摺部材用連結固定具によれば、複数の手摺部材を連結固定するにあたって、手摺部材を固定具本体により下側から覆い、かつ、手摺部材を上部カバー部により上側から覆って、手摺部材を連結固定することから、手摺部材が手摺部材用連結固定具に強固に固着することとなる。また、手摺部材間には下部仕切部および上部仕切部が介在することとなるため、手摺部材が軸方向に移動することを抑制することができる。このため、手摺部材は手摺部材用連結固定具に強固に固着される。
【００１７】
また、手摺部材用連結固定具において、固定具本体が上方に突出する下部仕切部を有していることから、手摺部材を固定具本体に載置した場合に、手摺部材の端面が下部仕切部に引っかかって、手摺部材が軸方向に移動することを防止することができる。これにより、例えば、手摺部材を固定具本体にネジ等により取り付ける取付作業を行う場合や、手摺部材を固定具本体に載置して、手摺部材の長さを決める作業を行う場合等において、手摺部材が軸方向に移動しにくく、これらの作業を行いやすい。
【００１８】
また、上記手摺部材用連結固定具において、前記下部仕切部は、上向きに凹状のアーチ状であり、水平方向に略平行な平坦部を有し、前記上部仕切部は、前記固定具本体および前記上部カバー部により覆われて前記手摺部材が連結された際に、前記下部仕切部に沿って嵌まり込み、前記手摺部材間を遮断する形状であることとしてもよい。
【００１９】
このように、固定具本体および上部カバー部により手摺部材が連結された際に、上部仕切部が下部仕切部に沿って嵌まり込むことから、固定具本体に対して上部カバーが、手摺部材の軸方向に対して略垂直であって水平面に平行な方向にずれにくい。これにより、手摺部材は、手摺部材用連結固定具に強固に固着される。
【００２０】
また、上部仕切部は下部仕切部に沿って嵌まり込み、下部仕切部が水平方向に略平行な平坦部を有していることから、固定具本体上に上部カバー部を安定して載置することができる。これにより、固定具本体と上部カバー部とをネジ等により固定する作業を、容易に行うことができる。また、平坦部を有することから、固定具本体と上部カバー部とを安定して固着することができ、手摺部材は手摺部材用連結固定具に強固に固着される。
【００２１】
また、上記手摺部材用連結固定具において、前記下部仕切部は、３箇所の前記平坦部を有していることとしてもよい。
【００２２】
このように、平坦部が３箇所もあることから、固定具本体上に上部カバー部をより安定して載置することができ、これらをネジ等により固定する作業を容易に行うことができる。また、手摺部材は手摺部材用連結固定具に強固に固着される。
【００２３】
また、上記手摺部材用連結固定具において、前記固定具本体における前記上部カバー側の端面および前記上部カバーにおける前記固定具本体側の端面には、嵌合部および被嵌合部のいずれかが形成されており、前記固定具本体および前記上部カバー部に覆われて前記手摺部材が連結された際に、前記嵌合部が前記被嵌合部に嵌合されることとしてもよい。
【００２４】
これにより、固定具本体および上部カバー部に覆われて手摺部材が連結された際に、嵌合部が被嵌合部に嵌合されることから、固定具本体および上部カバー部とがより強固に連結されることになる。手摺部材は、固定具本体および上部カバー部に覆われていることから、手摺部材用連結固定具に強固に固着される。
【００２５】
また、上記手摺部材用連結固定具において、前記固定具本体の下方から取付部材が前記固定具本体を貫通して前記上部カバー部に到達することにより、前記上部カバー部と前記固定具本体とが固着されることとしてもよい。
【００２６】
このように、取付部材が固定具本体の下方から取り付けられることから、固定具本体、手摺部材および上部カバー部等により隠れて、上方からは取付部材が視認できない。つまり、手摺部材の使用者からは取付部材を視認することが困難である。これにより、美観を損なうことがない。
【発明の効果】
【００２７】
本発明によれば、簡単な構成であって、手摺部材を連結でき、かつ、手摺部材との固着強度が高い手摺部材用連結固定具を提供することができるという効果を奏する。
【図面の簡単な説明】
【００２８】
【図１】本発明の実施形態に係る手摺部材用連結固定具の斜視図である。
【図２】本発明の実施形態に係る手摺部材用連結固定具の固定具本体の構成を示す側面図である。
【図３】本発明の実施形態に係る手摺部材用連結固定具の上部カバー部の構成を示す側面図である。
【図４】本発明の実施形態に係る手摺部材用連結固定具の上部カバー部の構成を示す底面図である。
【図５】本発明の実施形態に係る手摺部材用連結固定具の分解斜視図である。
【図６】本発明の実施形態に係る手摺部材用連結固定具の使用状態を示す斜視図である。
【発明を実施するための形態】
【００２９】
本発明の実施形態に係る手摺部材用連結固定具について図面を用いて説明する。図１は本発明の実施形態に係る手摺部材用連結固定具の斜視図である。
【００３０】
図１に示すように、手摺部材連結固定具１００は、固定具本体１０と上部カバー部２０とを備えている。固定具本体１０は下部カバー部１１と、下部カバー部１１から伸びる支持部１４とを備え、支持部１４の端面には壁面に当接して固定される壁面固定部１３が形成されている。また、固定具本体１０は本体カバー１５を備えている。なお、図１では図示されていないが固定具本体１０の内部には空間が形成されている。
【００３１】
下部カバー部１１の上方には上部カバー部２０が配置されている。図１では図示されていないが、上部カバー部２０は下部カバー部１１にネジ部材等により固定されている。また、下部カバー部１１に上部カバー部２０が配置されることにより、後述する手摺棒３０が挿入される開口部１０１が形成されている。上部カバー部２０は下部カバー部１１に配置された状態で下方に突出する板状の上部仕切部２２を備えており、下部カバー部１１には上方に突出する板状の下部仕切部１２が設置されている。ここで、上部仕切部２２の外形と下部仕切部１２の外形とは対応しており、上部カバー部２０が下部カバー部１１上に配置された場合に、下部仕切部１２に沿って上部仕切部２２が嵌まり込み、上部仕切部２２および下部仕切部１２は一体の仕切り板を構成する。したがって、開口部１０１は貫通孔とはならない。下部仕切部１２に沿って上部仕切部２２が嵌まり込むことから、固定具本体１０に対して上部カバー部２０が、手摺部材の軸方向に対して略垂直であって水平面に平行な方向に移動してずれることが抑制される。
【００３２】
次に、図面を用いて固定具本体１０および上部カバー部２０の構成について詳細に説明する。図２は本発明の実施形態に係る手摺部材用連結固定具の固定具本体の構成を示す側面図である。図３は本発明の実施形態に係る手摺部材用連結固定具の上部カバー部の構成を示す側面図である。図４は本発明の実施形態に係る手摺部材用連結固定具の上部カバー部の構成を示す底面図である。
【００３３】
固定具本体１０は、上述したように、下部カバー部１１と、下部カバー部１１から伸びる支持部１４とを備え、支持部１４の端面には壁面に当接して固定される壁面固定部１３が形成され、さらに本体カバー１５を備えている。また、図２に示すように、下部仕切部１２は、凹状のアーチ形状を有している。さらに下部仕切部１２は３箇所に平坦部を有している。具体的には、下部仕切部１２の両端部に位置する第２下部平坦部１２ｂおよび第３下部平坦部１２ｃと、下部仕切部１２の中央部分に位置する第１下部平坦部１２ａである。これら第１〜３下部平坦部１２ａ〜１２ｃは略水平であり平坦である。なお、平坦部は３箇所よりも多くてもよいし、少なくてもよい。平坦部がなくてもよいが、平坦部が形成されていることにより下部カバー部１１に上部カバー部２０が安定して配置されるとの効果が生じる。また、下部カバー部１１の端部には嵌合部１１ａが形成されている。具体的には、下部カバー部１１（固定具本体１０）における上部カバー部２０が設置される側の端面に嵌合部１１ａが形成されている。嵌合部１１ａは、後述する上部カバー部２０の被嵌合部２１ａに嵌合される。
【００３４】
上部カバー部２０は、上述したように上部仕切部２２を備え、下部カバー部１１上に配置される。また、図３に示すように、上部仕切部２２は、凸状のアーチ形状を有している。さらに上部仕切部２２は３箇所に平坦部を有している。具体的には、上部仕切部２２の両端部に位置する第２上部平坦部２２ｂおよび第３上部平坦部２２ｃと、上部仕切部２２の中央部分に位置する第１上部平坦部２２ａである。これら第１〜３上部平坦部２２ａ〜２２ｃは略水平であり平坦である。第１〜３上部平坦部２２ａ〜２２ｃはそれぞれ第１〜３下部平坦部１２ａ〜１２ｃと対応している。つまり、第１下部平坦部１２ａ上に第１上部平坦部２２ａが配置され、第２下部平坦部１２ｂ上に第２上部平坦部２２ｂが配置され、第３下部平坦部１２ｃ上に第３上部平坦部２２ｃが配置される。これにより、下部カバー部１１に上部カバー部２０が安定して配置される。
【００３５】
また、図３に加えて図４を参照する。上部カバー部２０の端部には被嵌合部２１ａが形成されている。具体的には、固定具本体１０上に上部カバー部２０が配置された際に、固定具本体１０と接する側の端面に被嵌合部２１ａが形成されている。被嵌合部２１ａは具体的には凹部であり、被嵌合部２１ａに凸部である嵌合部１１ａが嵌合される。つまり、嵌合部１１ａを被嵌合部２１ａに嵌合させて、上部カバー部２０に下部カバー部１１が配置される。それにより、上部カバー部２０は下部カバー部１１に対して水平方向にずれて移動することが抑制される。また、図４に示されているように、上部仕切部２２の底面にはネジ穴２７が形成されている。このネジ穴２７は下部カバー部１１（固定具本体１０）と上部カバー部２０とを固着するためにネジ止めするためのものである。また、ネジ穴２７は、第１上部平坦部２２ａに形成されることが好ましい。第１上部平坦部２２ａは平坦であることからネジ加工を行いやすい。
【００３６】
次に、図面を用いて、手摺部材連結固定具１００の使用方法について説明する。図５は本発明の実施形態に係る手摺部材用連結固定具の分解斜視図である。また、図６は本発明の実施形態に係る手摺部材用連結固定具の使用状態を示す斜視図である。
【００３７】
図５からわかるように、固定具本体１０の下部カバー部１１上に２本の手摺棒３０を設置して、その上から上部カバー部２０をかぶせることにより、手摺棒３０が下部カバー部１１および上部カバー部２０により覆われることとなる。手摺棒３０の端面３１は一体となった下部仕切部１２および上部仕切部２２により遮断されていて、手摺棒３０の軸方向に手摺棒３０が移動することが制限される。さらに、下部カバー部１１には第１貫通孔１６が形成されており、固定具本体１０内に形成された空洞部１４ａから第１貫通孔１６に挿入された第１ネジ部材１８を手摺棒３０に螺入させることにより、固定具本体１０と手摺棒３０とが固着される。このように、下方から第１ネジ部材１８が第１貫通孔１６を介して下部カバー部１１（固定具本体１０）を貫通して、下側から第１ネジ部材１８が手摺棒３０に螺入されることから、手摺棒３０の使用者からは第１ネジ部材１８が見えにくく、美観が損なわれることがない。
【００３８】
また、下部カバー部１１の下部仕切部１２には第２貫通孔１７が形成されており、固定具本体１０内に形成された空洞部１４ａから第２貫通孔１７に挿入された第２ネジ部材１９を上部仕切部２２のネジ穴２７に螺入させることにより、固定具本体１０と上部カバー部２０とが固着される。このように、下方から第２ネジ部材１９が第２貫通孔１７を介して下部カバー部１１（固定具本体１０）を貫通して、下側から第２ネジ部材１９がネジ穴２７に螺入されることから、手摺棒３０の使用者からは第２ネジ部材１９が見えにくく、美観が損なわれることがない。
【００３９】
下部カバー部１１および上部カバー部２０により覆われることにより、手摺棒３０は全周を上部カバー部２０および下部カバー部１１により覆われることになる。そして、上部カバー部２０および下部カバー部１１は第２ネジ部材１９により固着され、手摺棒３０は第１ネジ部材１８により固着されていることから、手摺棒３０は連結されたうえに手摺部材連結固定具１００に強固に固着されることとなる。
【００４０】
また、図６に示すように、第１ネジ部材１８および第２ネジ部材１９により手摺棒３０および上部カバー部２０を固定具本体１０に固着した後に、本体カバー１５により空洞部１４ａを閉じる。これにより、第１ネジ部材１８および第２ネジ部材１９が外部に露出されることがなく、使用者が手摺棒３０ではなく手摺部材連結固定具１００を握った際に第１ネジ部材１８および第２ネジ部材１９により手指を怪我することを防止できる。
【００４１】
なお、図示はしていないが、壁面固定部１３においても空洞部１４ａと外部とをつなぐ貫通孔が形成されており、この貫通孔を用いてネジ部材により壁面Ｗに手摺部材連結固定具１００を固着すればよい。
【００４２】
次に、手摺部材連結固定具１００を用いて手摺棒３０を連結して壁面Ｗに設置する方法について説明する。
【００４３】
まず、手摺棒３０の取付作業者は床面からの高さ等を測定して、壁面Ｗにおける手摺部材連結固定具１００の設置位置を決定する。決定された壁面Ｗの設置位置に固定具本体１０を設置する。具体的には本体カバー１５をはずした状態で、固定具本体１０の壁面固定部１３を壁面Ｗに当接させ、空洞部１４ａ側から壁面固定部１３に形成された貫通孔を介してネジ部材を壁面Ｗに螺入させる。なお、この時点では仮止めであることから、ネジ部材を完全に壁面Ｗに螺入させる必要はない。
【００４４】
次に、仮止めにより壁面Ｗに設置された固定具本体１０の位置を基準として、隣接する固定具本体１０の位置を決定すればよい。例えば、この設置された固定具本体１０の下部仕切部１２にメジャーの端部を引掛けることにより、容易に固定具本体１０からの距離を測定することができる。これにより、次に設置する固定具本体１０の設置位置を容易に決定することができる。
【００４５】
このようにして、壁面Ｗに固定具本体１０を複数仮止め設置した後は、手摺棒３０の設置作業を行えばよい。まず、手摺棒３０の長さを調整する必要がある。上述したようにメジャーの端部を下部仕切部１２に引掛けることにより、隣接する固定具本体１０間の距離を容易に測定することができることから、測定した距離に合わせて手摺棒３０の長さを決定すればよい。
【００４６】
また、長さを調整した手摺棒３０の両端を隣接する固定具本体１０の下部カバー部１１に載置することにより手摺棒３０の長さが好ましい長さであるか確認した後、空洞部１４ａ側から第１ネジ部材１８を第１貫通孔１６を介して手摺棒３０に螺入することにより手摺棒３０を固定具本体１０に固着させればよい。なお、この時点では仮止めであることから、第１ネジ部材１８を完全に手摺棒３０に螺入させる必要はない。この作業において、例えば、階段やスロープのように手摺棒３０が傾斜して設置される場合においても、下部カバー部１１に手摺棒３０を載置した際に、下の位置にある固定具本体１０の下部仕切部１２に手摺棒３０の端面３１が引っ掛かることから、作業者が手摺棒３０を支えていなくても、手摺棒３０の軸方向に手摺棒３０が滑ることがない。これにより、手摺棒３０を固定具本体１０に固着させる作業を容易に行うことができる。
【００４７】
このように、固定具本体１０を壁面Ｗに仮止めし、手摺棒３０を固定具本体１０に仮止めした後は、手摺棒３０を覆うように下部カバー部１１の上側から上部カバー部２０をかぶせて被嵌合部２１ａに嵌合部１１ａを嵌合させ、空洞部１４ａ側から第２ネジ部材１９を第２貫通孔１７を介して上部カバー部２０のネジ穴２７に螺入することにより、固定具本体１０に上部カバー部２０を固着させればよい。なお、この時点では仮止めであることから、第２ネジ部材１９を完全にネジ穴２７に螺入させる必要はない。
【００４８】
固定具本体１０を壁面Ｗに仮止めし、手摺棒３０を固定具本体１０に仮止めし、上部カバー部２０を固定具本体１０に仮止めした後は、各部材の位置を調整したうえで各ネジ部材を締めることにより、各部材を本止めすればよい。その後、本体カバー１５を取り付けることにより空洞部１４ａが外部に露呈しないようにすることで、図６に示すように、手摺棒３０の取付作業が完了する。これにより、手摺棒３０が連結固定されて、壁面Ｗに設置されることとなる。
【００４９】
この手摺部材連結固定具１００によれば、手摺棒３０を固定具本体１０（下部カバー部１１）により下側から覆い、かつ、上部カバー部２０により上側から覆うことにより、手摺棒３０を連結固定することから、手摺棒３０を強固に固着することができる。さらに、第１ネジ部材１８を用いて固定具本体１０と手摺棒３０とを固着し、第２ネジ部材１９を用いて固定具本体１０と上部カバー部２０とを固着することから、さらに強固に手摺棒３０を手摺部材連結固定具１００に固着することができる。また、連結された手摺棒３０間には下部仕切部１２および上部仕切部２２が介在することから、手摺棒３０がその軸方向に移動することを抑制することができるため、手摺棒３０が手指抑制具１００に強固に固着されることとなる。
【００５０】
また、上述したように、固定具本体１０に上部カバー部２０を取り付けることにより、下部仕切部１２に沿って上部仕切部２２が嵌まり込むことから、固定具本体１０に対して上部カバー部２０が、手摺部材の軸方向に対して略垂直であって水平面に平行な方向にずれにくい。これにより、手摺棒３０が手指抑制具１００に強固に固着されることとなる。なお、固定具本体１０に対して上部カバー部２０の位置がずれにくいのであれば、下部仕切部１２に沿って上部仕切部２２が嵌まり込む構造でなくてもよく、例えば、下部仕切部１２と上部仕切部２２との間に隙間が生じるような構造であってもよい。
【００５１】
また、手摺部材連結固定具１００によれば、平坦部である第１〜３下部平坦部１２ａ〜１２ｃおよび第１〜３上部平坦部２２ａ〜２２ｃが形成されていることにより、下部カバー部１１に上部カバー部２０を載置した場合に安定して配置される。これにより、第２ネジ部材１９により固定具本体１０に上部カバー部２０を固着する作業を容易に行うことができる。また、平坦部を有していることにより、手摺棒３０が手指抑制具１００に強固に固着されることとなる。
【００５２】
また、手摺部材連結固定具１００によれば、嵌合部１１ａが被嵌合部２１ａに嵌合されることから、固定具本体１０および上部カバー部２０がより強固に連結されることになる。そのため、固定具本体１０および上部カバー部２０に覆われている手摺棒３０は手摺部材連結固定具１００に強固に固着されることとなる。
【００５３】
以上、本発明の実施形態に係る手摺部材連結固定具について説明したが、本発明は上記実施形態に限定されるわけではない。例えば、手摺部材連結固定具の壁面への固定方法はネジ止めによることとしたが、これ以外の方法でもよい。また、各種ネジ部材の個数や配置等は特に制限があるわけではない。また、各部材の形状についても上記実施形態に限定されるわけではない。
【符号の説明】
【００５４】
１０    固定具本体
１１    下部カバー部
１１ａ  嵌合部
１２    下部仕切部
１２ａ  第１下部平坦部
１２ｂ  第２下部平坦部
１２ｃ  第３下部平坦部
１３    壁面固定部
１４    支持部
１４ａ  空洞部
１５    本体カバー
１６    第１貫通孔
１７    第２貫通孔
１８    第１ネジ部材（取付部材）
１９    第２ネジ部材
２０    上部カバー部
２１ａ  被嵌合部
２２    上部仕切部
２２ａ  第１上部平坦部
２２ｂ  第２上部平坦部
２２ｃ  第３上部平坦部
２７    ネジ穴
３０    手摺棒（手摺部材）
３１    端面
１００  手摺部材連結固定具
Ｗ      壁面
【図１】
2018199911.tif 000003
【図２】
2018199911.tif 000004
【図３】
2018199911.tif 000005
【図４】
2018199911.tif 000006
【図５】
2018199911.tif 000007
【図６】
2018199911.tif 000008